(57)【要約】      （修正有）【課題】罠本体を基板に対して必要個数取り付けると共に、支持具も設けることにより、場所を選ばす、対象とする獣やカラス等によってセッティングでき、破損した場合も部分的に交換できる動物用罠を提供する。【解決手段】平板の中央に獣の足及び／または鳥の頭部が入る穴２ａを設け、この穴２ａに向かって放射状の切り込み２ｂを入れ食込片２ｃを形成すると共に、周囲に取付部２ｄを設けた罠本体２と、この罠本体２を複数個取り付ける基台とからなることを特徴とする。【選択図】図１
2020080846.tif 000002
【特許請求の範囲】
【請求項１】
平板の中央に獣の足及び／または鳥の頭部が入る穴を設け、この穴に向かって放射状の切り込みを入れ食込片を形成すると共に、周囲に取付部を設けた罠本体と、この罠本体を複数個取り付ける基台とからなることを特徴とする動物用罠。
【請求項２】
前記罠本体の穴が、星型多角形状であることを特徴とする請求項１記載の動物用罠。
【請求項３】
前記基板の下部に支持具を設けてなることを特徴とする請求項１又は２記載の動物用罠。
【請求項４】
前記罠本体を帯状に形成してなることを特徴とする請求項１、２又は３記載の動物用罠。
【請求項５】
前記基台がメッシュ筋あるいはネットであることを特徴とする請求項１、２、３又は４記載の動物用罠。
【発明の詳細な説明】
【技術分野】
【０００１】  本発明は、主に獣やカラス等を捕獲する動物用罠に関するものである。
【背景技術】
【０００２】  従来の技術として、くくり用ワイヤーと、罠本体と、埋設筒体とを備えるくくり罠において、罠本体が、獣の足が踏み抜く踏み抜き穴と、踏み抜き穴を形成する罠本体の枠部の側を根元としてブラシ状の毛が先端が内側に向かって延びるように植毛された状態に設けられ、前記獣の足が踏み抜いた際には該獣の足に圧接状態で抜けないように付着する植毛状抜き止め部材と、植毛状抜き止め部材の上側で内側に開いた溝状に形成される罠用ループ保持部とを備えるものがある。（特許文献１参照）【０００３】  また、別の従来技術として、アスタリスク状の切り込みを濃密に配置した弾性力の強い薄板の上に動物が載ったとき、その動物の足がアスタリスク状の切り込みに嵌り、足を抜こうとしても切り込み先端が足に食い込むことで抜くことを妨げ、更に動物が暴れるなかで四肢の多く、あるいは四肢の全てが切り込みに嵌ることで逃避を妨げ、侵入しようとした動物の運動を止めて動物による農作物の被害対策や、動物の侵入防止対策に貢献しようとするものであり、切り込みをアスタリスク状にすることで動物の大小を問わずに作用することを特徴とする弾性薄板による動物被害対策器具がある。（特許文献２参照）
【先行技術文献】
【特許文献】
【０００４】
【特許文献１】特許第５７３２５８５号公報
【特許文献２】特開２００４−３１３１４８号公報
【発明の概要】
【発明が解決しようとする課題】
【０００５】  前記前者の特許は、くくり用ワイヤーを設けてなるもので、形状も複雑でくくり用ワイヤーを止めるための杭や木が必要となり、使用場所が限定されるものである。【０００６】  また、前記後者の特許は、切り込みを濃密に配置した弾性力の強い薄板で形成しているもので、必然的に下方に穴を掘る必要があり、一部が破損した時、全体を取り替える必要があり、かつアンカー金物を必要とするため場所も限定されるものである。【０００７】  本発明は、このような従来の構成が有していた問題を解決しようとするもので、罠本体を基板に対して必要個数取り付けると共に、支持具も設けることにより、場所を選ばす、対象とする獣やカラス等によってセッティングでき、破損した場合も部分的に交換できる動物用罠を提供することを目的とする。
【課題を解決するための手段】
【０００８】  本発明は上記目的を達成するために、平板の中央に獣の足及び／または鳥の頭部が入る穴を設け、この穴に向かって放射状の切り込みを入れ食込片を形成すると共に、周囲に取付部を設けた罠本体と、この罠本体を複数個取り付ける基台とからなること。前記罠本体の穴が、星型多角形状であること。前記基板の下部に支持具を設けてなること。前記罠本体を帯状に形成してなること。前記基台がメッシュ筋あるいはネットであることを特徴とする。
【発明の効果】
【０００９】１）、罠本体と、この罠本体を複数個取り付けた基台との構成により、獣の種類や大きさに関係なく、またカラス等の鳥を捕獲でき、かつ、使用場所を選ぶことができる。
２）、罠本体の穴を星型多角形にすることにより、食込片の先端を逆山形状に形成でき、獣の足により食い込み、逃げられにくい。
３）、支持具により、設置場所に穴を掘ることなく使用でき、獣道や畑の中等設置場所を限定しない。
４）、罠本体を帯状に形成することにより、設置時間を短縮できる。
５）、基台を鉄製等によるメッシュ筋にすることにより、重量があり、逃げることができない。
６）、基台を樹脂製等によるネットにすることより、例えば田んぼや畑等地面が柔らかい場所に使用できる。また、町中にあるゴミ収集場所のカバーに使用することにより、集まるカラス等に対しても有効である。
【図面の簡単な説明】
【００１０】
【図１】  本発明の一実施例を示す動物用罠の罠本体の平面図。
【図２】  本発明の一実施例を示す動物用罠の平面図。
【図３】  本発明の一実施例を示す動物用罠の正面図及び使用状態図。
【図４】  本発明の一実施例を示す動物用罠の要部の使用状態図。
【発明を実施するための形態】
【００１１】  本発明の動物用罠について具体的に説明する。
１は、動物用罠である。
２は、適度なバネ力を有する平板の中央に、獣の足が入る星型多角形（この実施例の場合、１６角）の穴２ａを設け、この穴２ａに向かって放射状の切り込み２ｂ（この実施例の場合、８箇所）を入れ、食込片２ｃ（この実施例の場合、８個）を形成すると共に、周囲４箇所に孔による取付部２ｄを設けてある罠本体である。
３は、前記罠本体２を複数個（この実施例の場合、９箇所）取付部２ｄ―――に結束バンド（図示せず）にて固定して取り付けるべくメッシュ筋（鉄製）による基台である。
４は、前記基台３を適宜地面より浮かせて支持する円筒状の支持具で、この実施例の場合、１０箇所設けてある。（図１・図２）
【００１２】  つぎに、動物用罠の使用例について説明する。
獣が通るであろう獣道ＫＭ等の適所に動物用罠１を置く。
つぎに、動物用罠１の上面に枯葉や木の枝・草ＨＫ等を全面に敷き詰める。
【００１３】  この状態で、動物用罠１の上面（枯葉等ＨＫ）を獣Ｋが歩くと、罠本体２の穴２ａに足ａが入り（地面Ｇにつく）、食込片２ｃ―――が足ａの側面に食い込み、捕獲できるものである。
【００１４】  よって、足ａが固定された状態では獣Ｋも基台３を移動することが難しい。
【００１５】  なお、罠本体２の大きさや穴の大きさ等は、対象とする獣（熊・鹿・イノシシ等）によって変更するものである。
また、罠本体２の取付位置も必要に応じて決めればよい。
さらに、支持具４の高さも必要に応じて決めればよい。
さらにまた、設置場所も山中の獣道や畑等、必要な場所に設置すればよく、
必要に応じて餌を撒いてもよい。
【００１６】  つぎに、別の実施例として、基台３をメッシュ筋ではなく、樹脂製等によるネットで、特に湿地帯等、地面の柔らかい場所に設置可能で、支持具はおもりとして逃げることを防ぐものである。
なお、町中にあるゴミ収集場所のゴミにカバーとして使用することにより、カラス等の鳥が穴２ａに頭を入れれば、これもまた捕獲できるものである。
【符号の説明】
【００１７】１―――動物用罠
２―――罠本体
２ａ――穴
２ｂ――切り込み
２ｃ――食込片
２ｄ――取付部
３―――基台
４―――支持具
ＫＭ――獣道
ＨＫ――枯葉等
Ｋ―――獣
【図１】
2020080846.tif 000003
【図２】
2020080846.tif 000004
【図３】
2020080846.tif 000005
【図４】
2020080846.tif 000006